(57)【要約】【課題】既存システムへの導入においてコストを抑えつつ、ユーザに依存することなく、電子機器のセキュリティを確保する機器制御システムを提供する。【解決手段】機器制御システムは、被測位装置２００の位置を把握する位置把握部３０２と、被測位装置２００の位置に応じて、被制御装置４００を制御する制御信号を生成する制御信号生成部３０３と、制御信号を被制御装置４００へ送信する通信部３０４とを備える。【選択図】図３
2007251426.tif 000002
【特許請求の範囲】
【請求項１】
移動端末の位置を把握する位置把握部と、
前記移動端末の位置に応じて、被制御装置を制御する制御信号を生成する制御信号生成部と、
前記制御信号を前記被制御装置へ送信する通信部と
を備えることを特徴とする機器制御システム。
【請求項２】
前記移動端末からの位置通知、あるいは、前記移動端末の測位を行うことにより、前記移動端末の位置を取得し、前記位置把握部へ通知する位置通知部を更に備えることを特徴とする請求項１に記載の機器制御システム。
【請求項３】
前記制御信号生成部は、前記移動端末が前記被制御装置の存在するエリアから離れた場合、前記被制御装置を使用できない状態に制御する制御信号を生成することを特徴とする請求項１又は２に記載の機器制御システム。
【請求項４】
前記制御信号生成部は、前記移動端末が前記被制御装置の存在するエリアに存在する場合、前記被制御装置を使用できる状態に制御する制御信号を生成することを特徴とする請求項１又は２に記載の機器制御システム。
【請求項５】
移動端末の位置を把握するステップと、
前記移動端末の位置に応じて、被制御装置を制御する制御信号を生成するステップと、
前記制御信号を前記被制御装置へ送信するステップと
を含むことを特徴とする機器制御方法。
【発明の詳細な説明】
【技術分野】
【０００１】
本発明は、機器制御システム及び機器制御方法に関する。
【背景技術】
【０００２】
近年、電子機器のセキュリティ保護のため、電子機器の状態を制御することが行われている。
【０００３】
例えば、ユーザが手動でログアウト処理を行うことによるロック処理や、一定時間操作が行われないと画面をロックするスクリーンセーバーによる処理などが挙げられる。又、電波が届く範囲内から離れると、電子機器がロックされるＳＰＣ（Secure Private Cosm）という技術も開示されている（例えば、非特許文献１参照。）。更に、電子機器にＦｅｌｉｃａのリーダを接続し、ＦｅｌｉｃａカードやＦｅｌｉｃａ内蔵の携帯電話をかざすと、電子機器のログイン処理を行う技術も使用されている（例えば、非特許文献２参照。）。
【非特許文献１】http://www.spc-c.com/
【非特許文献２】http://www.sbsc.co.jp/solution/security/felica.html
【発明の開示】
【発明が解決しようとする課題】
【０００４】
しかしながら、ユーザの手動によるロック処理では、ユーザが操作を行うかどうかに依存するため、操作をし忘れることがある。
【０００５】
又、ＳＰＣ技術を利用する場合は、専用のハードを搭載する必要があり、既存システムへの導入においては、コストが高くなるという問題がある。
【０００６】
更に、Ｆｉｌｉｃａ技術は、基本的に、ログイン時はカードをかざし、ログアウト時は、手動操作、あるいは一定時間操作が行われない場合の自動ロックが行われる。この場合、手動によるロック処理は手間がかかり、ユーザが操作をし忘れる可能性がある。又、タイマーによるロック処理やスクリーンセーバーによるロック処理は、タイマーを使用するため、ユーザが電子機器から離れた後、予め設定された時間が経過するまでの間はロックされず、セキュリティ上の問題が残る。
【０００７】
そこで、本発明は、上記問題点に鑑み、既存システムへの導入においてコストを抑えつつ、ユーザに依存することなく、電子機器のセキュリティを確保する機器制御システム及び機器制御方法を提供することを課題とする。
【課題を解決するための手段】
【０００８】
上記目的を達成するため、本発明の第１の特徴は、（ａ）移動端末の位置を把握する位置把握部と、（ｂ）移動端末の位置に応じて、被制御装置を制御する制御信号を生成する制御信号生成部と、（ｃ）制御信号を被制御装置へ送信する通信部とを備える機器制御システムであることを要旨とする。
【０００９】
第１の特徴に係る機器制御システムによると、既存システムへの導入においてコストを抑えつつ、ユーザに依存することなく、被制御装置（電子機器）のセキュリティを確保することができる。
【００１０】
又、第１の特徴に係る機器制御システムは、移動端末からの位置通知、あるいは、移動端末の測位を行うことにより、移動端末の位置を取得し、位置把握部へ通知する位置通知部を更に備えてもよい。
【００１１】
この機器制御システムによると、移動端末の位置測位処理に連動して、被制御機器の制御を行うことができる。
【００１２】
又、第１の特徴に係る機器制御システムにおいて、制御信号生成部は、移動端末が被制御装置の存在するエリアから離れた場合、被制御装置を使用できない状態に制御する制御信号を生成してもよい。
【００１３】
この機器制御システムによると、被制御装置（電子機器）の動作をロックあるいはＯＦＦすることにより、被制御装置（電子機器）のセキュリティを確保することができる。
【００１４】
又、第１の特徴に係る機器制御システムにおいて、制御信号生成部は、移動端末が被制御装置の存在するエリアに存在する場合、被制御装置を使用できる状態に制御する制御信号を生成してもよい。
【００１５】
この機器制御システムによると、被制御装置（電子機器）の動作をＯＮすることにより、被制御装置（電子機器）のセキュリティを確保することができる。
【００１６】
本発明の第２の特徴は、（ａ）移動端末の位置を把握するステップと、（ｂ）移動端末の位置に応じて、被制御装置を制御する制御信号を生成するステップと、（ｃ）制御信号を被制御装置へ送信するステップとを含む機器制御方法であることを要旨とする。
【００１７】
第２の特徴に係る機器制御方法によると、既存システムへの導入においてコストを抑えつつ、ユーザに依存することなく、被制御装置（電子機器）のセキュリティを確保することができる。
【発明の効果】
【００１８】
本発明によると、既存システムへの導入においてコストを抑えつつ、ユーザに依存することなく、電子機器のセキュリティを確保する機器制御システム及び機器制御方法を提供することができる。
【発明を実施するための最良の形態】
【００１９】
次に、図面を参照して、本発明の実施の形態を説明する。以下の図面の記載において、同一又は類似の部分には、同一又は類似の符号を付している。ただし、図面は模式的なものであることに留意すべきである。
【００２０】
（機器制御システム）
本実施形態では、図１に示すように、被測位装置２００を有するユーザが、自席からその他の場所へ移動した場合、ユーザの自席にある被制御装置４００の動作を制御することについて説明する。図１では、被測位装置２００を有するユーザが自席にいる場合、被制御装置４００のロックを解除し、被測位装置２００を有するユーザがその他の場所にいる場合、被制御装置４００をロックする。
【００２１】
本実施形態に係る機器制御システムは、図２に示すように、位置測位装置１００と、位置情報データベース１０１と、被測位装置２００と、機器制御装置３００と、被制御装置４００とを備える。被測位装置２００としては、ユーザが常に携帯する携帯電話やＰＤＡ、ノートパソコンなどの移動端末が挙げられる。又、被制御装置４００としては、ユーザが携帯しないデスクトップ型パソコンや、ノートパソコン、その他電子機器が挙げられる。
【００２２】
位置測位装置１００と被測位装置２００間は、無線基地局装置５００や通信ネットワーク６００を介して通信を行う。又、位置測位装置１００と機器制御装置３００間、及び機器制御装置３００と被制御装置４００間は、通信ネットワーク６００を介して通信を行う。図２では、被測位装置と無線基地局装置間は、無線ＬＡＮで通信し、無線基地局装置と位置測位装置間、位置測位装置と機器制御装置間、及び機器制御装置と被制御装置間は、有線で通信するとしているが、通信方法はこれに限るわけではなく、各装置間の通信は、無線でも有線でも構わない。
【００２３】
又、被測位装置２００と被制御装置４００は、同一の機器であっても構わない。
【００２４】
尚、図２では、位置情報データベース１０１を位置測位装置１００の外部に配置しているが、位置測位装置１００内に備えられてもよい。
【００２５】
次に、位置測位装置１００、被測位装置２００、機器制御装置３００、被制御装置４００の構成について説明する。
【００２６】
位置測位装置１００は、図３に示すように、位置情報データベース１０１と、位置通知部１０２と、通信部１０３とを備える。
【００２７】
位置情報データベース１０１は、被測位装置の識別番号（あるいは、ユーザの識別番号）と、被測位装置の位置情報とを対応付けて保持する。例えば、図４に示すように、ユーザの識別番号と、被測位装置がいるエリア（例えば、自席）とを対応付けて保持する。尚、位置情報データベース１０１は、ＲＡＭ等の内部記憶装置を用いても良く、ハードディスクやフレキシブルディスク等の外部記憶装置を用いても良い。
【００２８】
位置通知部１０２は、通信部１０３によって取得された被測位装置２００の位置を、機器制御装置３００の位置把握部３０２へ通知する。
【００２９】
通信部１０３は、被測位装置２００からの位置通知、あるいは、被測位装置２００の測位を行い、被測位装置２００の位置を取得し、位置情報データベース１０１へ保存する。
【００３０】
又、図示していないが、位置測位装置１００は、通信処理、位置通知処理などを中央演算装置（ＣＰＵ）に実行させるための実行プログラムを保存するプログラム保持部を備えてもよい。プログラム保持部は、例えば、ＲＡＭ、ハードディスク、フレキシブルディスク、コンパクトディスク、ＩＣチップ、カセットテープなどが挙げられる。このようなプログラムを保持した記録媒体によれば、プログラムの保存、運搬、販売などを容易に行うことができる。
【００３１】
被測位装置２００は、図３に示すように、通信部２０１と、位置通知部２０２とを備える。
【００３２】
位置通知部２０２は、自装置の位置を測位し、通信部２０１へ位置を通知する。
【００３３】
通信部２０１は、位置測位装置１００からの位置問い合わせ要求を受信し、位置通知部２０２によって通知された位置を位置測位装置１００へ送信する。又、被測位装置２００が自己測位を行わない場合は、通信部２０１は、位置測位装置１００からの測位要求を受信し、測位要素情報を位置測位装置１００へ送信する。尚、被測位装置２００が自己測位を行わない場合は、位置通知部２０２を備える必要はない。
【００３４】
機器制御装置３００は、図３に示すように、制御部３０１と、位置把握部３０２と、制御信号生成部３０３と、通信部３０４とを備える。
【００３５】
制御部３０１は、位置把握部３０２、制御信号生成部３０３、通信部３０４の動作を制御する。
【００３６】
位置把握部３０２は、位置測位装置１００から被測位装置２００の位置を受信し、被測位装置２００の位置を把握する。
【００３７】
制御信号生成部３０３は、被測位装置２００の位置に応じて、被制御装置４００を制御する制御信号を生成する。制御信号生成部３０３は、図５に示すように、特定のエリアと、被制御装置４００の制御内容とを対応付けて保持し、これを参照して、制御信号を生成する。例えば、図４に示すように、ユーザＢの有する被測位装置２００がエリア２に移動した場合（図２参照）、制御信号生成部３０３は、図５に示すように、被制御装置４００を使用できない状態に制御する制御信号を生成する。このように、制御信号生成部３０３は、被測位装置２００が被制御装置４００の存在するエリアから離れた場合、被制御装置４００をロックあるいはＯＦＦすることができる。又、制御信号生成部３０３は、図４に示すように、ユーザＡの有する被測位装置２００がエリア１に移動した場合、図５に示すように、被制御装置４００を使用できる状態に制御する制御信号を生成する。このように、制御信号生成部３０３は、被測位装置２００が被制御装置４００の存在するエリアに存在する場合、被制御装置４００をＯＮすることができる。
【００３８】
通信部３０４は、制御信号生成部３０３によって生成された制御信号を被制御装置４００へ送信する。
【００３９】
又、図示していないが、機器制御装置３００は、位置把握処理、制御信号生成処理、通信処理などを中央演算装置（ＣＰＵ）に実行させるための実行プログラムを保存するプログラム保持部を備えてもよい。プログラム保持部は、例えば、ＲＡＭ、ハードディスク、フレキシブルディスク、コンパクトディスク、ＩＣチップ、カセットテープなどが挙げられる。このようなプログラムを保持した記録媒体によれば、プログラムの保存、運搬、販売などを容易に行うことができる。
【００４０】
被制御装置４００は、図３に示すように、通信部４０１と、制御部４０２とを備える。
【００４１】
通信部４０１は、機器制御装置３００から制御信号を受信する。
【００４２】
制御部４０２は、受信した制御信号に応じて、被制御装置４００の動作を制御する。例えば、被制御装置４００の動作をロックする制御信号を受信した場合は、被制御装置４００をロックし、外部から操作されないようにする。
【００４３】
（機器制御方法）
次に、本実施形態に係る機器制御方法について、図２及び図６を用いて説明する。
【００４４】
まず、ステップＳ１０１において、位置測位装置１００は、被測位装置２００に対して、位置問い合わせ要求、又は、測位要求を送信し、ステップＳ１０２において、被測位装置２００は、位置測位装置１００に位置通知、又は測位要素情報を送信する。そして、ステップＳ１０３において、位置測位装置１００は、被測位装置２００の位置を把握する。
【００４５】
次に、ステップＳ１０４において、位置測位装置１００は、機器制御装置３００へ被測位装置２００の位置を通知する。
【００４６】
次に、ステップＳ１０５において、機器制御装置３００は、被測位装置２００の位置に応じて、被制御装置４００を制御する制御信号を生成する。
【００４７】
次に、ステップＳ１０６において、機器制御装置３００は、生成した制御信号を被制御装置４００へ送信する。
【００４８】
次に、ステップＳ１０７において、被制御装置４００は、受信した制御信号に基づいた動作を行う。
【００４９】
（作用及び効果）
本実施形態に係る機器制御システム及び機器制御方法では、移動端末の位置に応じて、被制御装置を制御する制御信号を生成し、当該制御信号を被制御装置へ送信することにより、ユーザに依存することなく、被制御装置（電子機器）のセキュリティを確保することができる。例えば、ユーザが特定のエリアから離れた場合、あるいは、特定のエリアの戻った場合に、指定された電子機器の動作状態を自動的に制御することができる。
【００５０】
又、本実施形態に係る機器制御システムでは、位置測位システムが導入されている環境であれば、基本的に、各装置にソフトウェアをインストールするだけで、上述した機能を実現することができる。このため、新たなハードウェアの追加が不要であり、既存システムへの導入において、コストを削減することができる。
【００５１】
又、本実施形態に係る機器制御システムでは、被測位装置からの位置通知、あるいは、被測位装置の測位を行うことにより、被測位装置の位置を取得し、機器制御装置へ通知する。このため、被測位装置の位置測位処理に連動して、被制御機器の制御を行うことができる。
【００５２】
又、本実施形態に係る機器制御システムでは、移動端末が被制御装置の存在するエリアから離れた場合、被制御装置を使用できない状態に制御する制御信号を生成する。このため、被制御装置（電子機器）の動作をロックあるいはＯＦＦすることにより、被制御装置（電子機器）のセキュリティを確保することができる。
【００５３】
又、本実施形態に係る機器制御システムでは、移動端末が被制御装置の存在するエリアに存在する場合、被制御装置を使用できる状態に制御する制御信号を生成する。このため、被制御装置（電子機器）の動作をＯＮすることにより、被制御装置（電子機器）のセキュリティを確保することができる。
【００５４】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００５５】
例えば、上記の実施形態において、位置測位装置１００と機器制御装置３００は、異なる装置として説明したが、これらの機能を一つの装置内に配置しても構わない。
【００５６】
又、上記の実施形態に係る機器制御システムは、被測位装置２００と無線基地局装置５００間で無線ＬＡＮの利用を想定していたが、アクティブ無線タグやBluetoothを用いても良い。
【００５７】
又、図１では、被制御装置４００としてノートパソコンを例示したが、被制御装置４００はこれに限らず、制御が可能な電子機器であれば構わない。例えば、テレビや冷蔵庫などの家電製品でもよい。
【００５８】
このように、本発明はここでは記載していない様々な実施形態等を含むことは勿論である。従って、本発明の技術的範囲は上記の説明から妥当な特許請求の範囲に係る発明特定事項によってのみ定められるものである。
【図面の簡単な説明】
【００５９】
【図１】本実施形態に係る機器制御システムの概要を説明する図である。
【図２】本実施形態に係る機器制御システムの構成ブロック図である（その１）。
【図３】本実施形態に係る機器制御システムの構成ブロック図である（その２）。
【図４】第１の実施形態に係る位置情報データベースが保持するデータの一例である。
【図５】第１の実施形態に係る機器制御装置が保持するデータの一例である。
【図６】第１の実施形態に係る機器制御方法を示すフローチャートである。
【符号の説明】
【００６０】
１００…位置測位装置
１０１…位置情報データベース
１０２…位置通知部
１０３…通信部
２００…被測位装置
２０１…通信部
２０２…位置通知部
３００…機器制御装置
３０１…制御部
３０２…位置把握部
３０３…制御信号生成部
３０４…通信部
４００…被制御装置
４０１…通信部
４０２…制御部
５００…無線基地局装置
６００…通信ネットワーク
【図１】
2007251426.tif 000003
【図２】
2007251426.tif 000004
【図３】
2007251426.tif 000005
【図４】
2007251426.tif 000006
【図５】
2007251426.tif 000007
【図６】
2007251426.tif 000008